(57)【特許請求の範囲】
【請求項１】
中に電子要素を受容するための受容チャンバを有する基部と、
前記基部上に設けられて、前記基部の前記受容チャンバの開口部を開閉するように構成されるカバーと、を備え、
前記カバーの周縁部と、前記基部の前記受容チャンバの前記開口部の周縁部との間に、複数の換気孔が形成されており、
前記基部の前記受容チャンバが、前記換気孔を介して外部雰囲気と連通している、
光起電ジャンクションボックス。
【請求項２】
前記換気孔が、前記カバーの前記周縁部上、および／または、前記基部の前記受容チャンバにおける前記開口部の前記周縁部上に形成されている、
請求項１に記載のジャンクションボックス。
【請求項３】
前記換気孔が前記カバーの前記周縁部上にのみ形成されている、
請求項１に記載のジャンクションボックス。
【請求項４】
前記電子要素が、前記基部の前記受容チャンバ内に受容される導電端子、および２つの隣接する導電端子間に接続されるダイオードを備える、
請求項１に記載のジャンクションボックス。
【請求項５】
前記ダイオードが、表面実装技術によって前記導電端子上にはんだ付けされている、
請求項４に記載のジャンクションボックス。
【請求項６】
前記電子要素が、前記受容チャンバ内に注入される注入封止材によって封止されており、
前記注入封止材は、前記受容チャンバ内を空気が流れることができるように前記カバーから所定の距離だけ距離を置いて前記受容チャンバ内に注入される、
請求項１に記載のジャンクションボックス。
【請求項７】
前記カバーがスナップ嵌合によって前記基部に装着される、
請求項１に記載のジャンクションボックス。
【請求項８】
前記カバーが弾性のピンを備えて形成されており、
前記基部が、スナップ嵌合によって前記ピンと係合するように適合されるスロットを備えて形成されている、
請求項７に記載のジャンクションボックス。
【請求項９】
前記複数の換気孔は、半円形状の孔として形成される、
請求項３に記載のジャンクションボックス。
【請求項１０】
前記複数の換気孔は、前記外部雰囲気としての冷気が前記受容チャンバの内部に流入可能なように形成されている、
請求項１から９のいずれか一項に記載のジャンクションボックス。
【請求項１１】
前記複数の換気孔は、それぞれの少なくとも一端側が露出するように形成されている、
請求項１から１０のいずれか一項に記載のジャンクションボックス。
【発明の詳細な説明】
【技術分野】
【０００１】
関連出願の相互参照
本出願は、２０１５年８月２６日に中国国家知識産権局に出願された、中国特許出願第２０１５２０６５０４０８．３号の利益を主張する。その開示の全体を、参照によって本明細書に組み込む。
【０００２】
本開示は、ソーラパネル上に装着するための光起電ジャンクションボックスに関する。
【背景技術】
【０００３】
ソーラパネル（または太陽電池パネル）は一般に、太陽エネルギーを収集し、収集された太陽エネルギーを電気エネルギーに変換するように適合される。各ソーラパネルによって生成される電流は非常に弱く、複数のソーラパネルにより生成される電流が収束され次いでまとまって出力されるように、光起電ジャンクションボックスによって複数のソーラパネルを１つに接続すべきである。
【０００４】
光起電ジャンクションボックスは主として、基部およびこの基部上に装着されるカバーを備える。基部の受容チャンバ内に、導電端子およびダイオードなどの電子要素が受容される。先行技術では、基部およびカバーは、これらの間に何ら間隙を有さずに互いに密封されて係合し、この結果、光起電ジャンクションボックスの内部空間は、外部空間から絶縁される。先行技術では、基部がカバーと密封されて係合するので、動作中に光起電ジャンクションボックスの内側でダイオードによって生み出される熱は、光起電ジャンクションボックス内に局限される場合があり、また外部雰囲気への放出が非常に困難になり得る。この結果、光起電ジャンクションボックス内の温度が上昇し、このためダイオードの耐用年数が悪影響を受け、また光電変換効率が低下する。
【発明の概要】
【発明が解決しようとする課題】
【０００５】
本開示の目的は、先行技術に関する上述の技術的問題または他の技術的問題を解決することである。
【０００６】
本開示の１つの目的は、ダイオードによって生成される熱を外部雰囲気へと短時間で拡散し、この結果、光起電ジャンクションボックスの温度を下げ、ダイオードの耐用年数を伸ばし、光電変換効率を改善できる、光起電ジャンクションボックスを提供することである。
【課題を解決するための手段】
【０００７】
本開示の一態様によれば、中に電子要素を受容するための受容チャンバを有する基部と、基部上に設けられて基部の受容チャンバの開口部を開閉するように構成されるカバーと、を備える、光起電ジャンクションボックスが提供される。カバーの周縁部と基部の受容チャンバの開口部の周縁部との間に複数の換気孔が形成されて、基部の受容チャンバは換気孔を介して外部雰囲気と連通している。
【０００８】
本開示の例示の実施形態によれば、換気孔は、カバーの周縁部上および／または基部の受容チャンバの開口部の周縁部上に形成される。
【０００９】
本開示の別の例示の実施形態によれば、換気孔は、カバーの周縁部上にのみ形成される。
【００１０】
本開示の別の例示の実施形態によれば、電子要素は、基部の受容チャンバ内に受容される導電端子、および２つの隣接する導電端子間に接続されるダイオードを備える。
【００１１】
本開示の別の例示の実施形態によれば、ダイオードは、表面実装技術によって導電端子上にはんだ付けされる。
【００１２】
本開示の別の例示の実施形態によれば、電子要素は、注入封止材によって封止される。この注入封止材は、受容チャンバ内に、受容チャンバ内を空気が流れることができるようにカバーから所定の距離だけ距離を置いて注入される。
【００１３】
本開示の別の例示の実施形態によれば、カバーは、スナップ嵌合によって基部に装着される。
【００１４】
本開示の別の例示の実施形態によれば、カバーは弾性のピンを備えて形成され、基部は、スナップ嵌合によってこれらのピンと係合するように適合されるスロットを備えて形成される。
【００１５】
本開示の様々な例示の実施形態では、換気孔はカバーの周縁部と基部の受容チャンバの開口部の周縁部との間に形成されるので、光起電ジャンクションボックスの内側の受容チャンバは、換気孔を介して外部雰囲気と連通される。換気孔を介して光起電ジャンクションボックスの中に冷たい空気を入れることができ、また換気孔を介して、光起電ジャンクションボックスの内側の熱い空気を外側に素早く放出することができる。このようにして、換気孔を通して、光起電ジャンクションボックスにおける対流の様式で空気を循環させることができる。また動作中にダイオードによって生成される熱を、光起電ジャンクションボックスから外に素早く持ち出すことができ、このことにより、光起電ジャンクションボックスの温度が下がり、ダイオードの耐用年数が伸び、光電変換効率が改善される。
【００１６】
本開示の上記のおよび他の特徴は、以下の添付の図面を参照して、本開示の例示の実施形態について詳細に記載することにより、さらに明らかとなるであろう。
【図面の簡単な説明】
【００１７】
【図１】本開示の例示の実施形態による光起電ジャンクションボックスの概略斜視図である。
【図２】図１に示すような光起電ジャンクションボックスの平面図である。
【図３】図１に示すような光起電ジャンクションボックスの局所を拡大した概略図である。
【図４】図１に示すような光起電ジャンクションボックスの基部の概略斜視図である。
【図５】図１に示すような光起電ジャンクションボックスのカバーの概略斜視図である。
【図６】図１に示すような光起電ジャンクションボックスの断面図である。
【発明を実施するための形態】
【００１８】
本開示の技術的解決法について、付属の図面を参照しかつ実施形態と組み合わせて、以下で詳細に記載する。ここでは、類似の参照符号は類似の要素を指す。ただし本開示は、多くの異なる形態で具現化することができ、したがって、本明細書に提示される実施形態に限定されるものと解釈されるべきではない。むしろ、これらの実施形態は、本開示が徹底的かつ完全なものとなるように、および本開示の概念を当業者に十分に伝えるように提供される。
【００１９】
さらに、以下の詳細な説明では、説明の目的で、多数の具体的な詳細が、開示される実施形態の徹底的な理解をもたらすために提示される。ただし、１つまたは複数の実施形態を、これらの具体的な詳細無しに実行できることは明らかであろう。他の場合には、よく知られている構造およびデバイスは、図面を単純化するために概略的に示される。
【００２０】
本発明の一般的技術概念によれば、中に電子要素を受容するための受容チャンバを有する基部と、基部上に設けられて基部の受容チャンバの開口部を開閉するカバーと、を備える、光起電ジャンクションボックスが提供される。カバーの周縁部と基部の受容チャンバの開口部の周縁部との間に、複数の換気孔が形成されて、基部の受容チャンバは、換気孔を介して外部雰囲気と連通している。
【００２１】
図１は、本開示の例示の実施形態による光起電ジャンクションボックスの概略斜視図を示す。図２は、図１に示すような光起電ジャンクションボックス１００の平面図を示す。図３は、図１に示すような光起電ジャンクションボックスの局所を拡大した概略図を示す。
【００２２】
本開示の例示の実施形態において、光起電ジャンクションボックスが開示される。図１〜図３に示すように、光起電ジャンクションボックスは主として、基部１１０とカバー１２０とを備える。基部は、電子要素１１１および１１２を受容するための、受容チャンバを有する。カバー１２０は基部１１０上に設けられ、基部１１０の受容チャンバの開口部を開閉するように適合される。
【００２３】
図１〜図３に示すように、本開示の例示の実施形態では、カバー１２０の周縁部と基部１１０の受容チャンバの開口部の周縁部との間に、複数の換気孔１２１が形成されて、基部１１０の受容チャンバは、換気孔１２１を介して外部雰囲気と連通している。このようにして、図３および図６に示すように、換気孔１２１を介して、外部の冷たい空気を光起電ジャンクションボックスの中に入れることができ、また換気孔１２１を介して、光起電ジャンクションボックスの内側の熱い空気を外側に短時間で放出することができる。このようにして、図６において矢印で示されるように、換気孔１２１を通して、光起電ジャンクションボックス１００における対流の様式で空気を循環させることができる。また動作中にダイオードによって生成される熱を、光起電ジャンクションボックスから外に素早く排出することができ、このことにより、光起電ジャンクションボックスの温度が下がり、ダイオードの耐用年数が伸び、光電変換効率が改善される。
【００２４】
図４は、図１に示すような光起電ジャンクションボックス１００の基部１１０の概略斜視図を示す。また図５は、図１に示すような光起電ジャンクションボックス１００のカバー１２０の概略斜視図を示す。
【００２５】
本開示の実施形態では、カバー１２０の周縁部および／または基部１１０の受容チャンバの開口部の周縁部上に、複数の換気孔１２１を形成することができる。
【００２６】
製造を容易にするために、示される実施形態では、図４および図５に示すように、換気孔１２１は、カバー１２０の周縁部上にのみ形成される。示される実施形態では、換気孔１２１は、半円形状の孔として形成される。
【００２７】
図４および図６に示すように、示される実施形態では、既出の電子要素１１１および１１２は、基部１１０の受容チャンバ内に受容される導電端子１１１、および２つの隣接する導電端子１１１間に接続されるダイオード１１２を備える。
【００２８】
本開示の実施形態では、図４に示すように、ダイオード１１２は、表面実装技術（ＳＭＴ）によって導電端子１１１上にはんだ付けされるように適合される。
【００２９】
図６に示すように、本開示の例示の実施形態では、電子要素１１１および１１２は、注入封止材によって封止される。この注入封止材は、受容チャンバ内に、受容チャンバ内を空気が流れることができるように、カバー１２０から所定の距離だけ距離を置いて注入される。
【００３０】
図１、図４、および図５に示すように、本開示の例示の実施形態では、カバー１２０は、スナップ嵌合によって基部１００に装着される。
【００３１】
示される実施形態では、図１、図４、および図５に示すように、カバー１２０は、弾性のピン１２８を備えて形成され、基部１１０は、スロット１１８を備えて形成される。ピン１２８は、スナップ嵌合によってスロット１１８と係合するように適合される。
【００３２】
本開示について付属の図面を参照して記載したが、付属の図面において開示される実施形態は、本開示の好ましい実施形態について例示的に記載することを意図しており、本開示を限定するものとして解釈されるべきではない。
【００３３】
本開示の一般的概念のいくつかの例示の実施形態が示され記載されたが、これらの実施形態において、本開示の原理および精神から逸脱することなく、様々な変更または修正がなされ得ることが、当業者には理解されるであろう。本開示の範囲は、特許請求の範囲およびそれらの均等物において規定される。
【００３４】
本明細書で使用される場合、「備える」または「有する」という用語は、他の要素またはステップを除外しないものとして理解されるべきであり、また、「１つの（ａ）」または「１つの（ａｎ）」という用語は、複数の要素またはステップを除外しないものとして理解されるべきである。さらに、請求項におけるどのような参照符号も、本開示の範囲を限定するものとして理解されるべきではない。
【図１】
0006785596.tif 000002
【図２】
0006785596.tif 000003
【図３】
0006785596.tif 000004
【図４】
0006785596.tif 000005
【図５】
0006785596.tif 000006
【図６】
0006785596.tif 000007